(57)【要約】【課題】ジャッキなどの補助装置を用いることなしに、一人の作業者でもロールメディアを芯材の軸心回りに回転自在に容易に装着することができるようにする。【解決手段】メディアを中空円筒体の芯材にロール状に巻回して形成したロールメディアを、芯材の軸心回りに回転自在に保持するロールメディア保持装置において、高さ方向に貫通する貫通孔を備えた基台と、基台の貫通孔に対して、高さ方向における上下方向移動自在に配置されるとともにロールメディアを芯材の軸心回りに回転自在に装着可能なロールメディア支持部材と、ロールメディア支持部材に対して嵌合自在に形成され、ロールメディア支持部材に嵌合した際に基台部と当接し、基台に対してロールメディア支持部材の高さ方向の位置を位置決めする位置決め用部材とを有する。【選択図】        図３
2020158242.tif 000002
【特許請求の範囲】
【請求項１】
メディアを中空円筒体の芯材にロール状に巻回して形成したロールメディアを、前記芯材の軸心回りに回転自在に保持するロールメディア保持装置において、
高さ方向に貫通する貫通孔を備えた基台と、
前記基台の前記貫通孔に対して、前記高さ方向における上下方向移動自在に配置されるとともにロールメディアを芯材の軸心回りに回転自在に装着可能なロールメディア支持部材と、
前記ロールメディア支持部材に対して嵌合自在に形成され、前記ロールメディア支持部材に嵌合した際に前記基台部と当接し、前記基台に対して前記ロールメディア支持部材の高さ方向の位置を位置決めする位置決め用部材と
を有することを特徴とするロールメディア保持装置。
【請求項２】
請求項１に記載のロールメディア保持装置において、
前記ロールメディア支持部材は、
前記貫通孔内に配置される前記高さ方向に延長した位置決め用保持部と、
前記位置決め用保持部の上端部に形成されるとともに水平方向に延長した芯材装着凸部を備えたロールメディア装着部と
を有し、
前記位置決め用保持部に対して前記位置決め用部材が嵌合し、
前記ロールメディア装着部の前記芯材装着凸部が前記芯材の中空部に挿入される
ことを特徴とするロールメディア保持装置。
【請求項３】
請求項２に記載のロールメディア保持装置において、
前記ロールメディア装着部の上端部に、作業者が把持可能なリフト用把手が設けられた
ことを特徴とするロールメディア保持装置。
【請求項４】
請求項２または３のいずれか１項に記載のロールメディア保持装置において、
前記位置決め用保持部に嵌合凸部または嵌合凹部が形成され、
前記位置決め用部材に嵌合凹部または嵌合凸部が形成され、
前記位置決め用保持部に形成された嵌合凸部と前記位置決め用部材に形成された嵌合凹部とを嵌合し、または、前記位置決め用保持部に形成された嵌合凹部と前記位置決め用部材に形成された嵌合凸部とを嵌合する
ことを特徴とするロールメディア保持装置。
【請求項５】
請求項２、３または４のいずれか１項に記載のロールメディア保持装置において、
前記芯材装着凸部は、先端部に向けて徐々に細径となる階段状の段差が形成された
ことを特徴とするロールメディア保持装置。
【発明の詳細な説明】
【技術分野】
【０００１】
本発明は、ロールメディア保持装置に関する。さらに詳細には、本発明は、長尺のメディアをロール状に巻回して形成したロールメディアを保持するロールメディア保持装置に関する。
【０００２】
なお、本明細書および本特許請求の範囲において、「メディア」には、普通紙などの紙類よりなる各種の記録媒体は勿論のこと、ポリ塩化ビニル（ＰＶＣ：ｐｏｌｙｖｉｎｙｌ  ｃｈｌｏｒｉｄｅ）やポリエチレンテレフタラート（ＰＥＴ：ｐｏｌｙｅｔｈｙｌｅｎｅ  ｔｅｒｅｐｈｔｈａｌａｔｅ）などの樹脂材料などのような各種材料などからなる種々の媒体が含まれるものとする。
【背景技術】
【０００３】
従来より、メディアに対する加工処理として印刷処理を行うインクジェットプリンタなどの印刷装置や、ディアに対する加工処理としてメディアを所望の形状に切断するカッティング処理を行うカッティング装置などのメディア加工処理装置においては、被印刷物や被カッティング物として、長尺のメディアを中空円筒体の芯材にロール状に巻回して形成したロールメディアが用いられている。
【０００４】
こうしたロールメディアは、印刷装置やカッティング装置などのメディア加工処理装置に併設されている従来より公知の一対のロールメディア保持装置に、芯材の軸心回りに回転自在に当該芯材の両端部をそれぞれ支持されて、ロールメディアからメディアを引き出し可能とされている。
【０００５】
印刷装置やカッティング装置などのメディア加工処理装置は、必要に応じてロールメディア保持装置に保持されたロールメディアからメディアを引き出して、印刷装置における印刷処理やカッティング装置におけるカッティング処理などに供する。
【０００６】
ところで、このロールメディアは重量が重いので、一人の作業者がロールメディアを持ち上げて、ロールメディア保持装置を芯材の軸心回りに回転自在に装着するのは極めて困難な作業であるという問題点があった。
【０００７】
なお、一人の作業者による作業を可能にするために、ロールメディアを持ち上げるためのジャッキなどの補助装置も提案されているが、ロールメディア保持装置に加えて別途に補助装置が必要となり、コストの上昇を招来するという問題点があった。
【０００８】
なお、本願出願人が特許出願のときに知っている先行技術は、文献公知発明に係る発明ではないため、本願明細書に記載すべき先行技術文献情報はない。
【発明の概要】
【発明が解決しようとする課題】
【０００９】
本発明は、従来の技術が有する上記したような問題点に鑑みてなされたものであり、その目的とするところは、ジャッキなどの補助装置を用いることなしに、一人の作業者でもロールメディアを芯材の軸心回りに回転自在に容易に装着することができるようにしたロールメディア保持装置を提供しようとするものである。
【課題を解決するための手段】
【００１０】
上記目的を達成するために、本発明は、ロールメディア保持装置におけるロールメディア支持部材を、高さ方向における上下方向に自動自在かつ移動した箇所で固定可能に構成したものである。
【００１１】
従って、ロールメディアからメディアを引き出し可能に一対のロールメディア保持装置により当該ロールメディアの両端部をそれぞれ保持する際に、一方のロールメディア保持装置のロールメディア支持部材を高さ方向における上方向に移動して、ロールメディアの一方の端部側を上方に移動させて浮かせた後に、他方のロールメディア保持装置のロールメディア支持部材を高さ方向における上方向に移動して、ロールメディアの他方の端部側を上方に移動させて浮かせることができる。
【００１２】
このため、ジャッキなどの補助装置を用いることなしに、一人の作業者でもロールメディアを芯材の軸心回りに回転自在にロールメディア保持装置に容易に装着することができる。
【００１３】
即ち、本発明は、メディアを中空円筒体の芯材にロール状に巻回して形成したロールメディアを、上記芯材の軸心回りに回転自在に保持するロールメディア保持装置において、高さ方向に貫通する貫通孔を備えた基台と、上記基台の上記貫通孔に対して、上記高さ方向における上下方向移動自在に配置されるとともにロールメディアを芯材の軸心回りに回転自在に装着可能なロールメディア支持部材と、上記ロールメディア支持部材に対して嵌合自在に形成され、上記ロールメディア支持部材に嵌合した際に上記基台部と当接し、上記基台に対して上記ロールメディア支持部材の高さ方向の位置を位置決めする位置決め用部材とを有するようにしたものである。
【００１４】
また、本発明は、上記した本発明において、上記ロールメディア支持部材は、上記貫通孔内に配置される上記高さ方向に延長した位置決め用保持部と、上記位置決め用保持部の上端部に形成されるとともに水平方向に延長した芯材装着凸部を備えたロールメディア装着部とを有し、上記位置決め用保持部に対して上記位置決め用部材が嵌合し、上記ロールメディア装着部の上記芯材装着凸部が上記芯材の中空部に挿入されるようにしたものである。
【００１５】
また、本発明は、上記した本発明において、上記ロールメディア装着部の上端部に、作業者が把持可能なリフト用把手が設けられたものである。
【００１６】
また、本発明は、上記した本発明において、上記位置決め用保持部に嵌合凸部または嵌合凹部が形成され、上記位置決め用部材に嵌合凹部または嵌合凸部が形成され、上記位置決め用保持部に形成された嵌合凸部と上記位置決め用部材に形成された嵌合凹部とを嵌合し、または、上記位置決め用保持部に形成された嵌合凹部と上記位置決め用部材に形成された嵌合凸部とを嵌合するようにしたものである。
【００１７】
また、本発明は、上記した本発明において、上記芯材装着凸部は、先端部に向けて徐々に細径となる階段状の段差が形成されたものである。
【発明の効果】
【００１８】
本発明は、以上説明したように構成されているので、ジャッキなどの補助装置を用いることなしに、一人の作業者でもロールメディアを芯材の軸心回りに回転自在にロールメディア保持装置に容易に装着することができるようになるという優れた効果を奏するものである。
【図面の簡単な説明】
【００１９】
【図１】図１は、本発明の実施の形態の一例によるロールメディア保持装置を併設した印刷装置を模式的に示す正面概略構成説明図である。
【図２】図２（ａ）（ｂ）（ｃ）（ｄ）は、本発明の実施の形態の一例によるロールメディア保持装置にロールメディアを装着する際の動作を示す正面説明図である。なお、図２（ａ）（ｂ）（ｃ）（ｄ）においては、位置決め用部材の図示は省略した。
【図３】図３（ａ）（ｂ）（ｃ）（ｄ）は、本発明の実施の形態の一例によるロールメディア保持装置におけるロールメディア支持部材の高さ方向における上下方向の移動および固定の動作（作業者による位置決め操作）を示す図２（ａ）におけるＡ矢視に対応する説明図（側面説明図）である。
【発明を実施するための形態】
【００２０】
以下、添付の図面を参照しながら、本発明によるロールメディア保持装置の実施の形態の一例について詳細に説明するものとする。
【００２１】
ここで、図１には、本発明の実施の形態の一例によるロールメディア保持装置を併設した印刷装置を模式的に示す正面概略構成説明図があらわされている。
【００２２】
また、図２（ａ）（ｂ）（ｃ）（ｄ）には、本発明の実施の形態の一例によるロールメディア保持装置にロールメディアを装着する際の動作を示す正面説明図があらわされている。なお、図２（ａ）（ｂ）（ｃ）（ｄ）においては、位置決め用部材の図示は省略されている。
【００２３】
さらに、図３（ａ）（ｂ）（ｃ）（ｄ）には、本発明の実施の形態の一例によるロールメディア保持装置におけるロールメディア支持部材の高さ方向における上下方向の移動および固定の動作（作業者による位置決め操作）を示す図２（ａ）におけるＡ矢視に対応する説明図（側面説明図）があらわされている。
【００２４】
一対のロールメディア保持装置１０、１０’は、印刷装置１００に併設されている。これらの一対のロールメディア保持装置１０、１０’には、中空円筒状の芯材１０２ａの軸心回りに回転自在にロールメディア１０２の両端部がそれぞれ支持されている。具体的には、水平方向の右方側位置するロールメディア保持装置１０に、芯材１０２ａの右側端部１０２ａＲが軸心回りに回転自在に支持され、一方、水平方向の左方側位置するロールメディア保持装置１０’に、芯材１０２ａの左側端部１０２ａＬが軸心回りに回転自在に支持されている。
【００２５】
これにより、ロールメディア１０２として巻回されているメディアが、ロールメディア保持装置１０、１０’から印刷装置１００におけるインクヘッドなどを備えた印刷処理部１００ａへ向けて引き出し可能とされている。
【００２６】
水平方向の右方側位置するロールメディア保持装置１０と水平方向の左方側位置するロールメディア保持装置１０’とは、各構成が鏡像配置とされている。
【００２７】
ロールメディア保持装置１０、１０’は、ロールメディア１０２を載置するロールメディア台１０４上に配置される基台１２を備えている。基台１２には、高さ方向における上下方向に貫通する貫通孔１２ａが形成されてる。
【００２８】
この基台１２の貫通孔１２ａに対して、ロールメディア支持部材１４が高さ方向における上下方向移動自在に配置されている。より詳細には、ロールメディア支持部材１４は、貫通孔１２ａ内に配置される高さ方向に延長した棒状の位置決め用保持部１４ａと、位置決め用保持部１４ａの上端部に形成されたロールメディア装着部１４ｂとを備えている。ロールメディア装着部１４ｂの高さ方向における上端部１４ｂａには、作業者が把持可能なリフト用把手１６が固定的に配設されている。
【００２９】
ロールメディア支持部材１４の位置決め用保持部１４ａにおいては、位置決め用部材２０の板状部２０ａに形成された複数の嵌合凸部２０ｂとそれぞれ嵌合するように寸法設定された嵌合凹部１４ａａが、高さ方向における上下方向に沿って略全領域にわたり複数箇所形成されている。
【００３０】
従って、位置決め用部材２０の嵌合凸部２０ｂを位置決め用保持部１４ａにおける所望の凹部１４ａａに嵌合することにより、板状部２０ａの下端部２０ａａと基台１２の上面部１２ｂとが当接し、基台１２に対してロールメディア装着部１４ｂの高さ方向位置を位置決めして配置することができる。
【００３１】
ロールメディア支持部材１４のロールメディア装着部１４ｂは、水平方向に突出するとともに、先端部に向けて徐々に細径となる階段状の段差を形成した芯材装着凸部１４ｂｂを備えている。この芯材装着凸部１４ｂｂが、ロールメディア１０２の芯材１０２ａにおける右側端部１０２ａＲまたは左側端部１０２ａＬの中空部内に挿入される。
【００３２】
なお、ロールメディア台１０４は、基台１２から下方へ突出した位置決め用保持部１４ａを配置可能な高さ方向において上下方向に貫通するとともに水平方向に延長した貫通長孔（図示せず。）が形成されている。
【００３３】
以上の構成において、作業者が一対のロールメディア保持装置１０、１０’にロールメディア１０２を取り付けるには、まず、ロールメディア１０２が載置されたロールメディア台１０４上に一対のロールメディア保持装置１０、１０’を配置する。この際に、一対のロールメディア保持装置１０、１０’は、それぞれの芯材装着凸部１４ｂｂがロールメディア１０２における芯材１０２ａの右側端部１０２ａＲおよび左側端部１０２ａＬ内にそれぞれ挿入可能なように、それぞれの芯材装着凸部１４ｂｂを対向して配置する。
【００３４】
なお、基台１２から下方へ突出した位置決め用保持部１４ａは、ロールメディア台１０４に形成された貫通長孔内に配置されるので、基台１２から下方へ突出した位置決め用保持部１４ａが邪魔になることはない。
【００３５】
次に、作業者は、図２（ａ）に示すように、ロールメディア台１０４上において、一対のロールメディア保持装置１０、１０’のそれぞれの芯材装着凸部１４ｂｂをロールメディア１０２における芯材１０２ａの右側端部１０２ａＲおよび左側端部１０２ａＬにそれぞれ挿入するように矢印Ｂ方向に移動する。
【００３６】
その際に、高さ方向における芯材１０２ａの位置と芯材装着凸部１４ｂｂとの位置がずれていて、芯材装着凸部１４ｂｂをロールメディア１０２における芯材１０２ａの右側端部１０２ａＲや左側端部１０２ａＬに挿入できない場合には、作業者は後述する位置決め操作を行って、高さ方向における芯材１０２ａの位置と芯材装着凸部１４ｂｂとの位置合わせを行えばよい。
【００３７】
ここで、位置決め操作とは、作業者による以下の操作を意味する。即ち、位置決め用保持部１４ａの凹部１４ａａに嵌合している位置決め用部材２０（図３（ａ）を参照する。）を取り外す（図３（ｂ）を参照する。）。それから、リフト用把手１６を把持するなどして、位置決め用保持部１４ａを高さ方向における所望の位置へ移動し（図３（ｃ）を参照する。なお、図３（ｃ）においては、位置決め用保持部１４ａを高さ方向の上方（矢印Ｃ方向）に移動する場合を図示している。）、その後に位置決め用部材２０の凸部２０ｂを凹部１４ａａに嵌合する。そうすると、板状部２０ａの下端部２０ａａと基台１２の上面部１２ｂとが当接して、基台２０に対する位置決め用保持部１４ａの下方への移動が制限され、基台１２に対して位置決め用保持部１４ａが高さ方向位置を位置決めされる（図３（ｄ）を参照する。）。
【００３８】
次に、作業者は、一対のロールメディア保持装置１０、１０におけるそれぞれの芯材装着凸部１４ｂｂを芯材１０２ａの右側端部１０２ａＲおよび左側端部１０２ａＬに挿入した状態で、一方のロールメディア保持装置１０に対して上記した位置決め操作を行って、ロールメディア装着部１４ｂによりロールメディア１０２が高さ方向における所望の位置まで持ち上げられたときに、基台１２に対してロールメディア装着部１４ｂの高さ方向位置を位置決めする（図２（ｂ）を参照する。）。なお、位置決め用保持部１４ａはロールメディア１０２の重量によって上方への移動制限されるので、基台１２に対してロールメディア支持部材１４が実質的に固定されることになる。
【００３９】
次に、他方のロールメディア保持装置１０’に対しても、上記した位置決め操作を行って、ロールメディア装着部１４ｂによりロールメディア１０２が高さ方向における所望の位置まで持ち上げられたときに、基台１２に対してロールメディア装着部１４ｂの高さ方向位置を位置決めする（図２（ｃ）を参照する。）。なお、位置決め用保持部１４ａはロールメディア１０２の重量によって上方への移動制限されるので、基台１２に対してロールメディア支持部材１４が実質的に固定されることになる。
【００４０】
この際に、印刷装置１００の印刷処理部１００ａへ向けてメディアロール１０２からメディアを位置ずれすることなく供給することができるように、メディアローール１００が高さ方向において水平となるように位置決め固定する。
【００４１】
次に、一対のロールメディア保持装置１０、１０’のそれぞれの芯材装着凸部１４ｂｂをロールメディア１０２における芯材１０２ａの右側端部１０２ａＲおよび左側端部１０２ａＬにそれぞれ挿入するように再度矢印Ｂ方向に移動して、ロールメディア保持装置１０、１０’によりロールメディア１０２が予め設定された裕度をもって狭持されるようにする（図２（ｄ）を参照する。）。そして、クランプなどの締結具により、ロールメディア台１０４と基台１２とを固定する。
【００４２】
上記した作業者の操作により、図１に示すように、印刷装置１２に対してロールメディア１００を配置することができる。
【００４３】
以上において説明したように、一対のロールメディア保持装置１０、１０’よれば、ジャッキなどの補助装置を用いることなしに、一人の作業者でも容易にロールメディア１００を芯材１０２ａの軸心回りに回転自在に装着することができる。
【００４４】
また、一対のロールメディア保持装置１０、１０’よれば、芯材装着凸部１４ｂｂの径が異なるため、メディア芯１０２の径が異なるロールメディア１００にも柔軟に対応して装着することができる。
【００４５】
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更などを行うようにしてもよいことは勿論である。
【００４６】
例えば、上記した実施の形態は、以下の（１）乃至（７）に示すように変形するようにしてもよい。
【００４７】
（１）上記した実施の形態においては、一対のロールメディア保持装置１０、１０’を印刷装置１００に併設した場合について説明したが、これに限られるものではないことは勿論である。本発明によるロールメディア保持装置は、カッティング装置などの各種のメディア加工処理装置に対して用いることができる。
【００４８】
（２）上記した実施の形態においては、右方側のロールメディア保持装置１０と左方側のロールメディア保持装置１０’とのそれぞれの構成を鏡像配置とした場合について説明したが、これに限られるものではないことは勿論であり、右方側のロールメディア保持装置１０と左方側のロールメディア保持装置１０’との構成を同一の配置としてもよい。右方側のロールメディア保持装置１０と左方側のロールメディア保持装置１０’との構成を同一の配置とした場合においても、それぞれの芯材装着凸部１４ｂｂを対向して配置するようにししてロールメディア１０２を装着する。
【００４９】
（３）上記した実施の形態においては、ロールメディア装着部１４ｂに設けられた芯材装着凸部１４ｂｂが、階段状に段差をもって水平方向に突出するように形成したが、これに限られるものではないことは勿論である。芯材装着凸部は、例えば、階段状の段差を持たない棒状体としてもよい。
【００５０】
（４）上記した実施の形態においては、ロールメディア装着部１４ｂの上端部１４ｂａにリフト用把手１６を設けるようにしたが、これに限られるものではないことは勿論であり、リフト用把手１６を設けなくてもよい。
【００５１】
（５）上記した実施の形態においては、ロールメディア装着部１４ｂの上端部１４ｂａにリフト用把手１６を固定的に配設して設けるようにしたが、これに限られるものではないことは勿論であり、ロールメディア装着部１４ｂの上端部１４ｂａにリフト用把手１６を取り付け自在に設けるようにしてもよい。
【００５２】
（６）上記した実施の形態においては、位置決め用保持部１４ａが嵌合凹部１４ａａを備えるとともに、位置決め用部材２０が嵌合凸部２０ｂを備えるようにしたが、これに限られるものではないことは勿論である。例えば、位置決め用保持部が嵌合凸部を備えるとともに、位置決め用部材が嵌合凹部を備えるようにしてもよい。
【００５３】
（７）上記した各実施の形態ならびに上記した（１）乃至（６）に示す各実施の形態は、適宜に組み合わせるようにしてもよいことは勿論である。
【産業上の利用可能性】
【００５４】
本発明は、メディアに対する加工処理として印刷処理を行う印刷装置やメディアに対する加工処理としてカッティング処理を行うカッティング装置などのメディア加工処理装置に対して、メディアを搬送して供給する際に用いて好適である。
【符号の説明】
【００５５】
１０        ロールメディア保持装置
１０’      ロールメディア保持装置
１２        基台
１２ａ      貫通孔
１２ｂ      上面部
１４        ロールメディア支持部材
１４ａ      位置決め用保持部
１４ａａ    嵌合凹部
１４ｂ      ロールメディア装着部
１４ｂａ    上端部
１４ｂｂ    芯材装着凸部
１６        リフト用把手
２０        位置決め用部材
２０ａ      板状部
２０ｂ      嵌合凸部
２０ａａ    下端部
１００        印刷装置
１００ａ      印刷処理部
１０２        ロールメディア
１０２ａ      芯材
１０２ａＲ    右側端部
１０２ａＬ    左側端部
１０４        ロールメディア台
【図１】
2020158242.tif 000003
【図２】
2020158242.tif 000004
【図３】
2020158242.tif 000005